(57)【要約】【課題】異常がある場合にその旨を音声情報により配信を行う場合、通信回線を接続した状態の時間を短縮することができ、従って接続時間による課金を少なくでき、さらに音声情報による一斉配信を行う場合にも、全てのテレメータ子局装置に配信が為されるまでの時間を短縮することのできるテレメータによるデータ配信システムを提供する。【解決手段】親局と少なくとも１つの放送装置が通信回線を介して接続されたデータ配信システムであって、前記親局の配信機能が配信する文章の内容を予め任意の文章を記憶したメモリを参照して文字データとして配信する手段と、該配信された文字データを受信した前記少なくとも１つの放送装置は、該受信した文字データを予め任意の文章を記憶したメモリを参照して音声データに変換する手段と、該変換した音声データを音声出力する手段と、より構成されたことを特徴とする。【選択図】  図１
2005020366.tif 000002
【特許請求の範囲】
【請求項１】
親局と少なくとも１つの放送装置が通信回線を介して接続されたデータ配信システムであって、
前記親局の配信機能が配信する文章の内容をあらかじめ任意の文章を記憶したメモリを参照して文字データとして配信する手段と、
該配信された文字データを受信した前記少なくとも１つの放送装置は、該受信した文字データをあらかじめ任意の文章を記憶したメモリを参照して音声データに変換する手段と、
該変換した音声データを音声出力する手段と、
より構成されたことを特徴とするデータ配信システム。
【請求項２】
親局が少なくとも１つの子局より各種のデータを収集し、該収集した各種のデータに応じて各種の情報を通信回線を介して配信するテレメータによるデータ配信システムであって、
前記親局の配信機能が配信する文章の内容をあらかじめ任意の文章を記憶したメモリを参照して文字データとして配信する手段と、
該配信された文字データを受信した前記少なくとも１つの子局は、該受信した文字データをあらかじめ任意の文章を記憶したメモリを参照して音声データに変換する手段と、
該変換した音声データを音声出力する手段と、
より構成されたことを特徴とするテレメータによるデータ配信システム。
【請求項３】
前記少なくとも１つの子局は、各種のデータを収集するテレメータ子局と、前記親局からの配信を受信して音声出力を行う同報装置と、
より構成されたことを特徴とする前記請求項２記載のテレメータによるデータ配信システム。
【請求項４】
親局より通信回線を介して配信された各種のデータを受信し、該受信した各種のデータに基づいて放送を行う放送装置であって、
前記配信された各種のデータのうち、文字データに該当するデータを抽出し、
該抽出したデータは、あらかじめ任意に設定された文字データメモリを参照して、該参照に基づいて、音声データに変換され、
該変換された音声データを音声出力する、
ことを特徴とするデータ配信システムの放送装置。
【請求項５】
前記親局は、少なくとも１つの子局が各種の測定を行った測定結果を収集し、
該収集した各種の測定結果を解析するテレメータの親局であって、
前記配信される各種のデータは前記解析の結果に基づいた放送文章データを含み、
該放送文章データが前記文字データである、
ことを特徴とする前記請求項４記載のデータ配信システムの放送装置。
【発明の詳細な説明】
【０００１】
【発明の属する技術分野】
本発明は、各種のデータを収集し、収集した各種のデータに応じて各種の情報を配信するテレメータによるデータ配信システムに関するものである。
【０００２】
【従来の技術】
従来のテレメータは、テレメータ親局装置と少なくとも１つのテレメータ子局装置とが電話回線等の通信回線を介して接続されている。テレメータ子局装置は、大気発生源や水質汚濁などの環境データ等を測定する各種の測定器が接続され、測定結果をテレメータ親局装置が収集し、解析するシステムである。
【０００３】
このようなテレメータによるデータ配信システムは、前記各種の測定器が測定した環境データ等の測定データを収集し、解析し、その結果、異常がある場合に、その旨の情報をテレメータ親局装置からテレメータ子局装置へ配信し、これを受信したテレメータ子局装置はその旨の情報に応じて必要な措置を行う。
ここで、その旨の情報に応じた必要な措置とは、テレメータ子局装置がその旨の情報を音声情報や画像情報として放送し、または、環境データ改善のための操作が実行されて措置が完了した旨をテレメータ親局装置へ送信し、または、これらの組合せなどのことである。
また、テレメータやテレメータによるデータ配信システムに関する従来技術として、例えば特許文献１〜特許文献３がある。
【０００４】
【特許文献１】
特開２０００−５９８６８号公報
【０００５】
【特許文献２】
特開平１１−４６２５６号公報
【０００６】
【特許文献３】
特開平９−２７０９４号公報
【０００７】
【発明が解決しようとする課題】
上記従来技術においては、異常等の緊急連絡すべき情報がある場合の配信の際に、例えば異常がある旨を音声情報により配信を行う場合、配信を行っている期間、即ち音声が発せられる時間分、電話回線等の通信回線を接続した状態となり、接続した時間の課金が多くなってしまうという問題点があった。
さらに、このような音声情報による同様の配信内容を複数のテレメータ子局装置に配信する場合、すなわち一斉配信を行う場合には、テレメータ親局装置が順次に各テレメータ子局装置と回線接続を行って、各々に同様の音声情報の配信を行う必要があり、全てのテレメータ子局装置に配信が為されるまでに時間が掛かってしまうという問題点があった。
【０００８】
本発明は上記従来技術に鑑みて為されたもので、異常等の緊急連絡すべき情報がある場合の配信の際にその旨を音声情報により配信を行うような場合、電話回線等の通信回線を接続した状態の時間を短縮することができ、従って、接続時間による課金を少なくすることができ、さらに、音声情報による一斉配信を行う場合にも、全てのテレメータ子局装置に配信が為されるまでの時間を短縮することのできるテレメータによるデータ配信システムを提供することを目的とする。
【０００９】
【課題を解決するための手段】
上記従来の問題点を解決するため請求項１記載の発明は、データ配信システムであって、親局と少なくとも１つの放送装置が通信回線を介して接続されたデータ配信システムであって、前記親局の配信機能が配信する文章の内容をあらかじめ任意の文章を記憶したメモリを参照して文字データとして配信する手段と、該配信された文字データを受信した前記少なくとも１つの放送装置は、該受信した文字データをあらかじめ任意の文章を記憶したメモリを参照して音声データに変換する手段と、該変換した音声データを音声出力する手段と、より構成されたことを特徴とする。
【００１０】
上記従来の問題点を解決するため請求項２記載の発明は、テレメータによるデータ配信システムであって、親局が少なくとも１つの子局より各種のデータを収集し、該収集した各種のデータに応じて各種の情報を通信回線を介して配信するテレメータによるデータ配信システムであって、前記親局の配信機能が配信する文章の内容をあらかじめ任意の文章を記憶したメモリを参照して文字データとして配信する手段と、該配信された文字データを受信した前記少なくとも１つの子局は、該受信した文字データをあらかじめ任意の文章を記憶したメモリを参照して音声データに変換する手段と、該変換した音声データを音声出力する手段と、より構成されたことを特徴とする。
【００１１】
上記従来の問題点を解決するため請求項３記載の発明は、前記請求項２記載のテレメータによるデータ配信システムであって、前記少なくとも１つの子局は、各種のデータを収集するテレメータ子局と、前記親局からの配信を受信して音声出力を行う同報装置と、より構成されたことを特徴とする。
【００１２】
上記従来の問題点を解決するため請求項４記載の発明は、データ配信システムの放送装置であって、親局より通信回線を介して配信された各種のデータを受信し、該受信した各種のデータに基づいて放送を行う放送装置であって、前記配信された各種のデータのうち、文字データに該当するデータを抽出し、該抽出したデータは、あらかじめ任意に設定された文字データメモリを参照して、該参照に基づいて、音声データに変換され、該変換された音声データを音声出力する、ことを特徴とする。
【００１３】
上記従来の問題点を解決するため請求項５記載の発明は、前記請求項４記載のデータ配信システムの放送装置であって、前記親局は、少なくとも１つの子局が各種の測定を行った測定結果を収集し、該収集した各種の測定結果を解析するテレメータの親局であって、前記配信される各種のデータは前記解析の結果に基づいた放送文章データを含み、該放送文章データが前記文字データである、ことを特徴とする。
【００１４】
【発明の実施の形態】
本発明の実施の形態について図面を参照しながら説明する。
図１は本発明の実施の形態に係るテレメータによるデータ配信システムの実施例を示す。
親局（テレメータ親局）１と、少なくとも１つの子局２とが電話回線（公衆回線）などの通信回線６を介して接続されている。子局２は、テレメータ子局４と、同報装置３と、大気発生源や水質汚濁などの環境データ等を測定する各種の測定器５１、５２、５３、・・・、５ｎ、とより構成される。
【００１５】
そして、各種の測定器５１、５２、５３、・・・、５ｎ、の測定結果を各々のテレメータ子局４が収集し、そしてテレメータ親局１が各テレメータ子局４より収集し、解析し、その結果、異常がある場合に、その旨の情報をテレメータ親局１から必要な子局２へ配信し、これを受信した子局２はその旨の情報に応じて必要な措置を行う。
ここで、その旨の情報に応じた必要な措置とは、同報装置３がその旨の情報を音声情報や画像情報として放送し、または、テレメータ子局２が環境データ改善のための操作が実行されて措置が完了した旨をテレメータ親局１へ送信し、または、これらの組合せなどを行うことである。
なお、親局（テレメータ親局）１と、子局２の詳細については後述する。
【００１６】
図２は本発明の実施の形態に係る親局側のハードブロック図の実施例を示す。
親局１は、モデムを含む送受信部２１と、各種の測定データを記憶して解析するデータ収集サーバ２３と、システム全体のデータの送受信に関するデータを記憶するメモリ２４と、表示部２６と、操作部２５と、より構成され、また、時計部２８やプリンタ２７を外部接続、若しくは内部に備えた構成とし、これらの全体を制御する親局制御部２２を備えている。
【００１７】
送受信部２１は、通信回線６を介して子局２と接続され、モデム機能を介してテレメータ子局４が収集した各種の測定データを収集し、データ収集サーバ２３に蓄積記憶する。また、必要な場合に同報装置３に対して放送等の各種の指令を配信する。
メモリ２４は、文章メモリテーブル２４１と、配信メモリテーブル２４２と、子局メモリテーブル２４３と、等の幾つかのメモリテーブルを有している。
なお、各メモリテーブル（２４１、２４２、２４３）の詳細については後述する。
【００１８】
データ収集サーバ２３は、メモリ機能とサーバ機能を有し、各種の測定データを蓄積記憶し、この蓄積記憶した測定データに基づいて各種の処理や演算等の解析を行う。
時計部２８は、例えばＦＭ電波等の時刻情報に基づいて時刻補正を行い、親局１と子局２とのシステム全体の実時間を管理する。
プリンタ２７は、データ収集サーバ２３やメモリ２４に記憶された各種データを必要に応じてプリントアウトする。
これらの各種の動作は親局制御部２２やデータ収集サーバ２３のサーバ機能に基づいて、あらかじめプログラミングされた自動動作や、操作部２５の操作入力による動作指令に基づいて為され、必要な場合は、表示部２６に各種の表示が為される。
【００１９】
図３は本発明の実施の形態に係る子局側のハードブロック図の実施例を示す。
テレメータ子局４は、モデムを含む送受信部４１と、各種の測定器５１、５２、５３、・・・、５ｎ、とのインタフェースを行うデータ入出力部４６と、各測定データを記憶するデータ収集メモリ４３と、操作部４５と、これらを制御する子局制御部４２と、より構成される。
操作部４５は、各測定器５１、５２、５３、・・・、５ｎ、の保守、調整や親局１への必要なデータ送信を操作入力により行うものである。
【００２０】
同報装置３は、通信回線６を介して親局１から配信された音声情報や画像情報等の各種の情報を受信する受信部３１と、これら各種の情報を音声信号や画像信号に変換して出力する変換制御部３２と、変換された音声信号を音声出力するスピーカ３７と、変換された画像信号を画像出力する表示部３６と、メモリ３４と、操作部３５と、より構成される。
また、ＬＥＤ３８は、放送や指令の情報の場合等、重要な情報、若しくは緊急の情報の場合等、設定に応じて受信した際に点灯し、注意喚起が促される機能となるものである。このような機能は、表示部３６に割込み情報として重要な情報、若しくは緊急の情報である旨を表示させることでも代用できる。
【００２１】
メモリ３４は、文章メモリテーブル３４１と、受信メモリテーブル３４２と、等の幾つかのメモリテーブルを有している。
前記受信した音声情報や画像情報等の各種の情報は、受信メモリテーブル３４２に記憶され、また、直ぐに音声出力または画像出力が必要な放送や指令の情報の場合は、記憶と共に音声出力や画像出力が為される。
また、受信メモリテーブル３４２に記憶された情報は、操作部３５の操作入力により必要な場合に出力することができる。
ここで、前記受信した音声情報について、変換制御部３２で音声信号に変換する場合、受信したデータがテキストデータ等の文章データである場合には、文章メモリテーブル３４１を参照して音声信号に変換し、スピーカ３７より音声出力が為される。
なお、各メモリテーブル（３４１、３４２）の詳細については後述する。
【００２２】
図４は本発明の実施の形態に係る文章メモリテーブルの実施例を示す。この実施例では、親局１のメモリ２４にある文章メモリテーブル２４１、及び、子局２の同報装置４のメモリ３４にある文章メモリテーブル３４１、に同様なメモリテーブルを用いている。
この文章メモリテーブル２４１、３４１は、文節番号Ｍ４１と、状態Ｍ４２と、内容Ｍ４３と、放送時間Ｍ４４と、より構成される。
【００２３】
例えば、文節番号Ｍ４１「０３」には、文節であることを示す状態Ｍ４２「Ｂ」と、その文節の音声内容を示す内容Ｍ４３「光化学スモッグ警報です。」と、その音声の出力時間を示す放送時間Ｍ４４「５ｓ（５秒）」が登録されている。
例えば、文節番号Ｍ４１「３０」には、文節であることを示す状態Ｍ４２「Ｂ」と、その文節の音声内容を示す内容Ｍ４３「＊＊窓を閉めてください。」（＊はスペース）と、その音声の出力時間を示す放送時間Ｍ４４「４ｓ（４秒）」が登録されている。
例えば、文節番号Ｍ４１「５１」には、繰り返し回数であることを示す状態Ｍ４２「Ｋ」と、その繰り返しの回数を示す内容Ｍ４３「３回」と、が登録されている。なお、放送時間Ｍ４４はヌル（登録なし）である。
例えば、文節番号Ｍ４１「９０」には、一連の文節の組合せであることを示す状態Ｍ４２「Ｔ」と、その一連の文節の組合せによる音声及び繰り返し回数の内容を示す内容Ｍ４３「０１、３０、５１」と、その音声の出力時間を示す放送時間Ｍ４４「９ｓ（９秒）×３（回）」が登録されている。
【００２４】
本実施例により、各テレメータ子局４に接続された各種の測定器５１、５２、５３、・・・、５ｎ、の測定結果を、テレメータ親局１が各テレメータ子局４の各々より収集して解析し、解析の結果、異常がある場合に、自動的に必要な子局２へ必要な配信の形態（配信区分や放送区分）にて配信することができる。
【００２５】
例えば、各テレメータ子局４に接続された各種の測定器５１、５２、５３、・・・、５ｎ、のうち、二酸化炭素濃度を測定する測定器の測定結果が、任意に設定された濃度の閾値以上の値となった場合に異常と判定する解析をプログラミングしておき、さらに、該異常である場合に、「警報」の放送を「一斉配信」として文節番号Ｍ４１「９０」を配信するように設定しておくことで、当該異常が発生した場合（測定結果の解析により異常の判定が為された場合）、自動的に「警報」の放送を「一斉配信」として配信を行うこととなる。
このような動作プログラミングをデータ収集サーバ２３のメモリ機能とメモリ２４の各メモリテーブルとリンクさせることで実行することができるものである。
【００２６】
図５は本発明の実施の形態に係るテレメータ親局の子局メモリテーブルの実施例を示す。この実施例では、親局１のメモリ２４にある子局メモリテーブル２４３、に用いている。
この子局メモリテーブル２４３は、子局Ｎｏ（番号）Ｍ５１と、グループＮｏ（番号）Ｍ５２と、子局位置Ｍ５３と、測定器Ｍ５４と、より構成される。
【００２７】
例えば、子局番号Ｍ５１「０３−１２３−４５６７」は子局の同報装置に設定された電話番号であり、その子局が属する幾つかの子局のグループを示すグループ番号Ｍ５２「０００１」と、その子局が設置されている住所や場所等を示す子局位置Ｍ５３「○○会社屋上」と、その子局に接続されている測定器５０、５１、５２、・・・、５ｎをフラグ等の印（図面では丸印）で示した測定器Ｍ５４と、が登録されている。
また、例えば、子局番号Ｍ５１「０３−９８７−６５４３」はグループ番号Ｍ５２「０００１」であり、子局番号Ｍ５１「０３−１２３−４５６７」と同じグループに属している。
【００２８】
図６は本発明の実施の形態に係るテレメータ親局の配信メモリテーブルの実施例を示す。この実施例では、親局１のメモリ２４にある配信メモリテーブル２４２、に用いている。
この配信メモリテーブル２４２は、配信コードＭ６１と、放送区分Ｍ６２と、配信日時Ｍ６３と、解除日時Ｍ６４と、放送内容Ｍ６５と、配信区分Ｍ６６と、配信子局Ｍ６７と、より構成される。
【００２９】
例えば、配信コードＭ６１「ＸＹＺ０１」のコードが付されて親局１より子局２の同報装置３にデータが配信された場合、その配信は警報であることを示す放送区分Ｍ６２「警報」と、その配信が為された日時を示す配信日時Ｍ６３「０３０５２９ＰＭ０２００（例えば０３年５月２９日午後２時０分を示す）」と、その配信が解除された場合にその解除した日時を示す解除日時Ｍ６４「０３０５２９ＰＭ０２５３（例えば０３年５月２９日午後２時５３分を示す）」と、その配信の内容をデータ化した放送内容Ｍ６５「０３、３０、５１」と、その配信が一斉配信か、グループ配信か、個別配信か、の何れかであることを示す配信区分Ｍ６６「一斉」と、その配信がどの子局に対して行われたかを示す配信子局Ｍ６７「ＡＬＬ」と、により配信され、その配信に関する情報を記憶蓄積する。
【００３０】
そして、この配信コードＭ６１「ＸＹＺ０１」の放送内容Ｍ６５は前述した図４の文章メモリテーブル２４１を参照するので、「０３、３０、５１」は「光化学スモッグ警報です。＊＊窓を閉めてください。（３回繰り返し）」の旨の信号として、全子局（配信子局Ｍ６７「ＡＬＬ」）に対して警報（放送区分Ｍ６２「警報」）の放送が一斉配信（配信区分Ｍ６６「一斉」）されたものである。また、この警報は解除日時Ｍ６４により、例えば０３年５月２９日午後２時５３分に解除の旨の配信が為されたものである。
【００３１】
図７は本発明の実施の形態に係るテレメータ親局の表示部の表示画面の実施例を示す。この実施例は、親局１の表示部２６に操作部２５の操作に基づいて、文章メモリテーブル２４１と子局メモリテーブル２４３の必要なデータを読出し、編集を行い、編集したデータの配信を実行することで配信メモリテーブル２４２に書き込みが為される場合の表示画面例である。
【００３２】
この表示画面例においては、文章メモリテーブル２４１の内容を表示する画面Ｇ７２と、放送（指令）の文節を表示する画面Ｇ７１と、この画面Ｇ７１に基づいた放送（指令）内容を表示する画面Ｇ７３と、前記画面Ｇ７１に基づいた放送時間の合計値を表示する画面Ｇ７４と、配信区分（一斉／グループ／個別、等）の設定を表示する画面Ｇ７５と、放送区分（警報／注意報／予報、等）の設定を表示する画面Ｇ７６と、等より画面の構成が為される。
【００３３】
画面Ｇ７２は文章メモリテーブル２４１の内容がスクロール表示され、任意の文節番号を順次選択することで、画面Ｇ７１に入力表示が為され、画面Ｇ７３にその内容が表示され、画面Ｇ７４には放送時間の合計値が演算されて表示される。例えば、まず、文章メモリテーブル２４１の文節番号Ｍ４１「０３」を選択し、次に文節番号Ｍ４１「３０」を選択し、さらに次に文節番号Ｍ４１「５１」を選択することで、本実施例による表示画面が表示される。なお、画面Ｇ７１は操作により直接入力しても良い。
【００３４】
つぎに、画面Ｇ７５の配信区分を選択する。一斉配信を選択する場合は全子局に対する配信であるが、グループ配信や個別配信を選択する場合、子局メモリテーブル２４３を読み出して表示し、必要なグループ番号Ｍ５２や子局番号Ｍ５１を選択して登録する。
なお、この子局メモリテーブル２４３の読み出し表示は、ウィンドウ表示やポップアップ表示等による。
【００３５】
つぎに、画面Ｇ７６の放送区分が選択される。この選択は、文節番号Ｍ４１「０３」を選択したことによる内容Ｍ４３「光化学スモッグ警報です。」の内容に従って自動的に選択されるか、若しくは、操作者の入力操作でも良い。
そして、このように編集した表示画面に基づいて配信の実行を行うことで、放送内容のデータが、必要な子局へ配信され、且つ、配信メモリテーブル２４２へ蓄積記憶される。
【００３６】
ここで、画面Ｇ７３への入力操作により文章メモリテーブル２４１への登録更新を行うことができる。
例えば、内容Ｍ７４に相当する任意の内容を画面Ｇ７３に書き込み、状態Ｍ４２を設定して登録実行を行うことで、文節番号Ｍ４１に新たな文節番号が付与されて文章メモリテーブル２４１に登録更新される。
また、文章メモリテーブル２４１が登録更新された場合はその旨を一斉配信することことで、各子局２の同報装置３の文章メモリテーブル３４１を親局側と同様に登録更新することができる。
【００３７】
図８は本発明の実施の形態に係る同報装置の受信メモリテーブルの実施例を示す。この実施例では、子局２の同報装置３のメモリ３４にある受信メモリテーブル３４２、に用いている。
この受信メモリテーブル３４２は、配信コードＭ８１と、放送区分Ｍ８２と、受信日時Ｍ８３と、解除／措置完了日時Ｍ８４と、放送内容Ｍ８５と、配信区分Ｍ８６と、より構成される。
【００３８】
このメモリテーブル構成は前述した図６の配信メモリテーブルとほぼ同様の構成となり、配信日時Ｍ６３と受信日時Ｍ８３、解除日時Ｍ６４と解除／措置完了日時Ｍ８４、配信子局Ｍ６７に対応するテーブルが無い、の３点が相違する。
このうち、配信日時Ｍ６３と受信日時Ｍ８３、解除日時Ｍ６４と解除／措置完了日時Ｍ８４、の２点については、親局１が配信を開始した時間と子局２の同報装置３がその配信を受信した時間にずれが生じているためである。
そこで、この２点については、時間に関するデータを含めて親局１より配信することにより同一の配信日時Ｍ６３と受信日時Ｍ８３、同一の解除日時Ｍ６４と解除／措置完了日時Ｍ８４、とすることができる。
また、時間に関するデータを含めて親局１より配信することにより配信日時Ｍ６３と受信日時Ｍ８３を、配信コードＭ６１とＭ８１に代替することができる。
【００３９】
なお、解除／措置完了日時Ｍ８４については、親局１からの配信により解除の旨の信号を受信するまで放送区分Ｍ８２に関する状態が継続するか、若しくは、放送内容Ｍ８５の内容に従って必要な措置を実施した場合に措置完了の旨を操作部３５（若しくは操作部４５）より入力操作することとなる。
すなわち、受信された配信コードＭ８１「ＸＹＺ０１」の放送内容Ｍ８５は前述した図４の文章メモリテーブル３４１を参照するので、「０３、３０、５１」は「光化学スモッグ警報です。＊＊窓を閉めてください。（３回繰り返し）」の旨の信号として、自分の子局を含めて全子局に対して警報の放送が一斉配信されたものであり、この警報に従って、当該子局２の同報装置３のスピーカ３７より音声出力の放送が為され、当該子局２が位置する場所の窓を閉める等の必要な措置を行い、そして、措置完了の旨の入力操作を行うものである。
そして、解除の旨の信号を受信した場合には、窓を閉めるという措置が不要となり、解除／措置完了日時Ｍ８４にその日時（解除の旨の信号を配信した日時、または、受信した日時）が記憶される。
【００４０】
図９は本発明の実施の形態に係る同報装置の表示部の表示画面の実施例を示す。この実施例は、子局２の同報装置３の表示部３６に、文章メモリテーブル３４１と受信メモリテーブル３４２の必要なデータが読出されて表示が為される場合の表示画面例である。
【００４１】
まず、放送（指令）に関するデータの配信を受信した場合に、その放送のデータを受信メモリテーブル３４２に蓄積し、且つ、音声信号に変換されて音声出力が為される。
その際、音声出力と同時に表示部３６へも放送内容を表示するように設定しておくことができる。この設定は、例えば放送区分Ｍ８２「警報」の場合や、配信区分Ｍ８６「一斉」の場合を強調的に表示させるなど任意に設定することができる。
また、操作部３５の操作に基づいて、以前に受信した方法内容を表示し、例えば画面中の「再生（点線枠）」のポップアップ表示部分をクリックすることで、再放送の実行を行うように設定しておき、重要な放送などの任意の放送の音声出力を再度行うことができる。
【００４２】
図１０は本発明の実施の形態に係る配信データのデータフォーマットの実施例を示し、図１０（ａ）は配信データその１、図１０（ｂ）は配信データその２、を示す。
これらの配信データフォーマットは、前述した図６の配信メモリテーブルのテーブル項目とリンクしており、配信データその１は、任意の放送や指令により配信され、この任意の放送や指令が解除されると配信データその２が配信されるものである。
【００４３】
（ａ）配信データその１は、子局２（同報装置３）毎の電話番号毎、すなわち配信子局Ｍ６７にて回線接続が為されると、配信コードＭ６１、放送区分Ｍ６２、配信日時Ｍ６３、放送内容Ｍ６５、配信区分Ｍ６６、より構成されるデータフォーマットとして配信される。
また、（ｂ）配信データその２は、子局２（同報装置３）毎の電話番号毎、すなわち配信子局Ｍ６７にて回線接続が為されると、配信コードＭ６１、フラグ等の解除信号の旨のデータ、解除日時Ｍ６４、より構成されるデータフォーマットとして配信される。
なお、配信日時Ｍ６３や解除日時Ｍ６４は、配信を受信する子局（同報装置）毎に配信を開始した時間と受信した時間とのずれが生じる場合があるため、必要に応じて配信することとなる。
【００４４】
前述した図１０の配信データフォーマットを構成する手段が親局制御部２２若しくはデータ収集サーバ２３のサーバ機能に含まれており、データ収集サーバ２３の各種測定結果の解析結果と文章メモリテーブル２４１と子局メモリテーブル２４３とをリンクすることで、配信データとすることができるものである。
このことは、前述した図６の配信メモリテーブルについて、この配信メモリテーブルが無い場合でも、本システムは上述した動作を実行することができることを示す。
若しくは、配信メモリテーブルには一斉配信や警報や異常データである場合の自動配信の場合の配信等の場合のみ蓄積記憶し、他の配信（例えばグループ配信や個別配信や編集して配信した場合等）は蓄積記憶しなくとも良いことを示す。
すなわち、親局１に配信メモリテーブルが無い（配信の記録を残さない）、若しくは一部の配信のみ記憶する場合においても、配信を受信した子局２側の受信メモリテーブルが配信（配信して受信した記録）を蓄積記憶しておくことができるために、配信メモリテーブルが必要無い、若しくは少ないメモリ容量で良いことを示す。
【００４５】
ここで、前述した図５の子局メモリテーブルにおいて、子局番号Ｍ５１にはあらかじめ優先順位を設定しておくことで、親局１からの一斉配信が行われる場合に、優先順位の順に従って各同報装置３への配信を順次行うこととなる。
また、この優先順位の設定をグループ番号Ｍ５２毎に設定したり、同一のグループ番号を有するグループの先頭の子局番号Ｍ５１を優先順位を高くする、といった設定とすることもできる。
【００４６】
このように優先順位を設定することで、一斉配信またはグループ配信を行う場合に各同報装置３の電話番号（子局番号Ｍ５１）に対しての回線接続が、優先順位の高い方から順番で行われることとなる。
さらにその際、何らかの理由（通話中や通信中、回線エラー、等）で回線が塞がっている場合、次の優先順位の電話番号に対して回線接続を行い、その後、優先順位を検索して優先順位の高い電話番号への回線接続が為される、すなわち、優先順位は高いが前回時点では回線が塞がっていた同報装置３に、再度、優先して配信を行う、といった一斉配信やグループ配信を行うことができる。
【００４７】
以上、詳細に説明した本発明に係る実施例によれば、テレメータによるデータ配信システムは、例えば、親局（テレメータ親局）１と、複数の子局２とが通信回線６を介して接続されており、各子局２にはそれぞれテレメータ子局４と同報装置３が含まれ、また各テレメータ子局には、大気発生源や水質発生源などの環境データ等を測定する各種の測定器５１、５２、５３、・・・、５ｎ、が必要に応じて接続されている。
そして、各種の測定器５１、５２、５３、・・・、５ｎ、の測定結果を各テレメータ子局４がデータ収集メモリ４３に記憶蓄積し、テレメータ親局１は各テレメータ子局４の各々のデータ収集メモリ４３にアクセスして、各測定結果を収集して解析する。
そして、解析の結果、異常がある場合には、その異常の状態に基づいて、放送や指令等の配信を行う。
【００４８】
この配信を行う際、異常である解析結果に基づいて自動で配信されるか、若しくは、親局の操作部２５の操作入力に基づいて配信されるか、の「自動と手動による２通りの配信」がある。
また、配信を行う際、異常である解析結果によって、全子局に配信する一斉配信なのか、一部の区域に配信するグループ配信なのか、固有の子局のみの個別配信であるのか、の「配信区分による３通りの配信」がある。
またさらに、配信を行う際、異常である解析結果によって、放送や指令の重要度の高い警報の配信なのか、重要度が中程度の注意報の配信なのか、重要度の低い予報の配信であるのか、の「放送区分による３通りの配信」がある。
このような各種の配信の組合せによって、より有効な配信が為されることを上述の各実施例により開示している。
【００４９】
図１１は本発明の実施の形態に係るデータ配信システムの実施例を示す。
上述した詳細に説明した本発明に係る各実施例より、親局１と同報装置３との間のデータ配信に着目したデータ配信システムについて説明する。
親局１の配信機能に関するブロックとして、前述した図２のデータ収集サーバ２３と操作部２５の機能を有する放送（指令）入力手段１１３と、親局制御部２２とデータ収集サーバ２３のサーバの機能を有する編集手段１１２と、メモリ２４と、モデムを含み送受信部２１の送信機能である送信手段１１１と、より構成され、メモリ２４は文章メモリテーブル２４１を有する。
【００５０】
同報装置３の放送（指令）機能に関するブロックとして、モデムを含む受信部３１と、メモリ３４と、前述した図３の変換制御部３２の文字データを音声データに変換する機能である変換手段１１４と、スピーカ３７と、より構成され、メモリ３４は文章メモリテーブル３４１と受信メモリテーブル３４２を有する。
【００５１】
そして親局１と少なくとも１つの同報装置３は通信回線６を介して接続され、親局１の配信機能が配信する文章の内容を文章メモリテーブル２４１を参照して選択、入力して文字データとして編集し、これを配信する。
配信されたデータを受信した同報装置３は、この受信したデータを受信メモリテーブル３４２に記憶蓄積し、且つ、文字データを文章メモリテーブル３４１を参照して音声データに変換し、スピーカ３７より放送、指令として音声出力する。
【００５２】
ここで、配信の際の回線接続について詳述する。
送信手段１１１のモデム機能は、編集手段１１２から受け取った情報をもとに、送信先である同報装置３へ電話するためのコマンドを発行する。
同報装置３の受信部３１のモデム機能がこれを受信し、回線接続完了の信号が返送されると、文章メモリテーブル２４１を参照して選択、入力して文字データとして編集したデータ（テキストデータ）を送信し、送信終了後、受信部３１のモデム機能に対して回線切断コマンドを発行する。
回線切断後、次の送信先である同報装置３が存在するか否かをサーチし、未送信先が存在すれば、引き続き同様の回線接続の処理を行い、回線接続が為されると前記文字データとして編集したデータ（テキストデータ）を送信する。
以降、未送信先がなくなるこの動作を実行する。
【００５３】
また、同報装置３の放送（指令）機能においては、受信部３１で受信した電文（配信されて受信したデータ）を解析し、必要に応じて、受信した電文から放送（指令）の文章が含まれる部分を抽出し、文章メモリテーブル３４１を参照し、変換手段１１４にて合成音声などの音声信号に変換し、スピーカ３７に出力する。本実施例により、音声信号を通信回線に出力することなく音声伝達を行うことができる。
【００５４】
なお、同報装置３の放送（指令）機能としては、スピーカ３７の出力のオン、オフを操作入力に基づいて、例えば、スピーカオン状態であれば、変換した音声信号を繰り返し出力する、といった動作を行うこともできる。
また、スピーカオフの操作入力が行われると、音声出力を停止し、再度スピーカオンの操作入力が行われると、最新に変換した音声信号（すなわち、最新に受信した放送、指令の文章）よりスピーカ出力を行う、という再放送等を行うことができる。
さらにまた、同報装置の入力操作により、音声出力のオンオフ操作を行うことで、放送や指令の音声出力と、親局からの配信を受信する動作とを同時に行うことができる。
【００５５】
以上、詳細に説明したように本発明に係る実施例においては、測定データ等の各種のデータを収集し、収集した各種のデータに応じて各種の情報を配信するデータ配信システム及びテレメータシステムであって、各種の情報を効率良く配信することのできるテレメータシステム及びデータ配信システムを実現することができる。
【００５６】
また、一般加入者電話回線等の回線交換によって相手先との接続を行う通信回線を経由した音声伝達手段において、複数の相手先に対して同一の音声信号による放送や指令を短時間で効率的に配信することができる。
これは、電文（送信されるデータ）中のテキストデータを合成音声等へ変換する機能を具備することによって、通信回線上を経由したテキスト形式の伝達内容を合成音声等による擬似音声で出力することで、音声信号そのものを送信するのに比べて短時間で送信を完了することができるものである。
そのため音声そのもの送受信する場合に比べて、通信回線を占有時間が短く時間課金制の回線料金を安価にすることができる。
【００５７】
また、同報装置に親局と同等の文章ファイル（文章メモリテーブル）を保持し、且つ、配信されて受信したデータを記憶しておくことで、回線切断状態であっても、再度放送内容の確認や再放送（再指令）の音声出力を通信回線の再接続を行うことなくすることができる。
【００５８】
【発明の効果】
本発明によれば、異常等の緊急連絡すべき情報の配信の際にその旨を音声情報により配信を行うような場合、電話回線等の通信回線を接続した状態の時間を短縮することができ、従って、接続時間による課金を少なくすることができ、さらに、音声情報による一斉配信を行う場合にも、全てのテレメータ子局装置に配信が為されるまでの時間を短縮することのできるテレメータによるデータ配信システムを提供することができる。
【図面の簡単な説明】
【図１】本発明の実施の形態に係るテレメータによるデータ配信システムの実施例。
【図２】本発明の実施の形態に係る親局側のハードブロック図の実施例。
【図３】本発明の実施の形態に係る子局側のハードブロック図の実施例。
【図４】本発明の実施の形態に係る文章メモリテーブルの実施例。
【図５】本発明の実施の形態に係るテレメータ親局の子局メモリテーブルの実施例。
【図６】本発明の実施の形態に係るテレメータ親局の配信メモリテーブルの実施例。
【図７】本発明の実施の形態に係るテレメータ親局の表示部の表示画面の実施例。
【図８】本発明の実施の形態に係る同報装置の受信メモリテーブルの実施例。
【図９】本発明の実施の形態に係る同報装置の表示部の表示画面の実施例。
【図１０】本発明の実施の形態に係る配信データのデータフォーマットの実施例を示し、（ａ）は配信データその１、（ｂ）は配信データその２。
【図１１】本発明の実施の形態に係るデータ配信システムの実施例。
【符号の説明】
１：親局（テレメータ親局）、２：子局、３：同報装置、４：テレメータ子局、５１〜５ｎ：測定器、６：通信回線、
２１：送受信部（モデム）、２２：親局制御部、２３：データ収集サーバ、２４：親局メモリ、２５：操作部、２６：表示部、２７：プリンタ、２８：時計部、２４１：文章メモリテーブル、２４２：配信メモリテーブル、２４３：子局メモリテーブル、
３１：受信部（モデム）、３２：変換制御部、３４：メモリ、３５：操作部、３６：表示部、３７：スピーカ、３８：ＬＥＤ、３４１：文章メモリテーブル、３４２：受信メモリテーブル、
４１：送受信部（モデム）、４２：子局制御部、４３：データ収集メモリ、４５：操作部、４６：データ入出力部、
１１１：送信手段、１１２：編集手段、１１３：放送（指令）入力手段、１１４：変換手段。
【図１】
2005020366.tif 000003
【図２】
2005020366.tif 000004
【図３】
2005020366.tif 000005
【図４】
2005020366.tif 000006
【図５】
2005020366.tif 000007
【図６】
2005020366.tif 000008
【図７】
2005020366.tif 000009
【図８】
2005020366.tif 000010
【図９】
2005020366.tif 000011
【図１０】
2005020366.tif 000012
【図１１】
2005020366.tif 000013